(57)【要約】【課題】加熱炉内の炉圧を変動させることなく、加熱炉内における炉幅方向に沿う傾斜加熱を可能とした加熱装置、加熱炉及び加熱方法を提供する。【解決手段】加熱装置３０は、被加熱対象物Ｗを加熱する加熱炉２の炉幅方向の一方の側壁２ａに設けられた第１蓄熱式バーナ装置３１〜３５と、加熱炉２の他方の側壁２ｂに設けられた、第１蓄熱式バーナ装置３１〜３５と対となる第２蓄熱式バーナ装置３６〜４０とを備える。また、加熱装置３０は、第１蓄熱式バーナ装置３１〜３５の第１バーナ３１ａ〜３５ａと第２蓄熱式バーナ装置３６〜４０の第２バーナ３６ａ〜４０ａとのそれぞれを燃焼させる際に、第１燃料ガス流量調整弁５１及び第２燃料ガス流量調整弁５２のそれぞれの開度を制御して、第１バーナ３１ａ〜３５ａへの燃料ガスの流量と、第２バーナ３６ａ〜４０ａへの燃料ガスの流量とを調整する制御装置８０を備えている。【選択図】図３
2019074238.tif 000002
【特許請求の範囲】
【請求項１】
被加熱対象物を加熱する加熱炉の炉幅方向の一方の側壁に設けられた第１蓄熱式バーナ装置と、前記加熱炉の一方の側壁に対して炉幅方向で対向する他方の側壁に設けられた、前記第１蓄熱式バーナ装置と対となる第２蓄熱式バーナ装置とを備え、前記第１蓄熱式バーナ装置が、燃料ガスを燃焼させる第１バーナと、該第１バーナに設けられた第１蓄熱器とからなり、前記第２蓄熱式バーナ装置が、燃料ガスを燃焼させる第２バーナと、該第２バーナに設けられた第２蓄熱器とからなる加熱装置であって、
前記第１バーナは、第１燃料ガス開閉弁及び第１燃料ガス流量調整弁を介して燃料ガス供給源に接続されるとともに、前記第２バーナは、第２燃料ガス開閉弁及び第２燃料ガス流量調整弁を介して燃料ガス供給源に接続され、
前記第１燃料ガス開閉弁及び前記第２燃料ガス開閉弁の開閉が一定時間で交互になるように制御して前記燃料ガス供給源から前記第１バーナ及び前記第２バーナに交互に燃料ガスを供給して前記第１バーナと前記第２バーナとを交互に燃焼させるとともに、前記第１バーナと前記第２バーナとのそれぞれを燃焼させる際に、前記第１燃料ガス流量調整弁及び前記第２燃料ガス流量調整弁のそれぞれの開度を制御して、前記第１バーナへの燃料ガスの流量と、前記第２バーナへの燃料ガスの流量とを調整する制御装置を備えていることを特徴とする加熱装置。
【請求項２】
前記制御装置は、前記被加熱対象物の加熱目標温度に基づいて設定された前記第１燃料ガス流量調整弁及び前記第２燃料ガス流量調整弁のそれぞれの開度を補正した補正値の開度で前記第１バーナへの燃料ガスの流量と前記第２バーナへの燃料ガスの流量とを流量調整し、前記第１バーナと前記第２バーナとを交互に燃焼させることを特徴とする請求項１に記載の加熱装置。
【請求項３】
前記制御装置による前記被加熱対象物の加熱目標温度に基づいて設定された前記第１燃料ガス流量調整弁の開度の補正値の設定は、前記加熱炉の出側に設置された温度計からの前記被加熱対象物の炉幅方向の一端部の温度に基づいて行い、前記被加熱対象物の加熱目標温度に基づいて設定された前記第２燃料ガス流量調整弁の開度の補正値の設定は、前記加熱炉の出側に設置された温度計からの前記被加熱対象物の炉幅方向の他端部の温度に基づいて行うことを特徴とする請求項２に記載の加熱装置。
【請求項４】
前記制御装置による前記被加熱対象物の加熱目標温度に基づいて設定された前記第１燃料ガス流量調整弁の開度の補正値の設定は、前記加熱炉の出側における前記被加熱対象物の炉幅方向の一端部の過去の実績温度に基づいて行い、前記被加熱対象物の加熱目標温度に基づいて設定された前記第２燃料ガス流量調整弁の開度の補正値の設定は、前記加熱炉の出側における前記被加熱対象物の炉幅方向の他端部の過去の実績温度に基づいて行うことを特徴とする請求項２に記載の加熱装置。
【請求項５】
請求項１乃至４のうちいずれか一項に記載の加熱装置を備えたことを特徴とする加熱炉。
【請求項６】
被加熱対象物を加熱する加熱炉の炉幅方向の一方の側壁に設けられた第１蓄熱式バーナ装置と、前記加熱炉の一方の側壁に対して炉幅方向で対向する他方の側壁に設けられた、前記第１蓄熱式バーナ装置と対となる第２蓄熱式バーナ装置とを備え、前記第１蓄熱式バーナ装置が、燃料ガスを燃焼させる第１バーナと、該第１バーナに設けられた第１蓄熱器とからなり、前記第２蓄熱式バーナ装置が、燃料ガスを燃焼させる第２バーナと、該第２バーナに設けられた第２蓄熱器とからり、前記第１バーナは、第１燃料ガス開閉弁及び第１燃料ガス流量調整弁を介して燃料ガス供給源に接続されるとともに、前記第２バーナは、第２燃料ガス開閉弁及び第２燃料ガス流量調整弁を介して燃料ガス供給源に接続されている加熱装置による加熱方法であって、
前記第１燃料ガス開閉弁及び前記第２燃料ガス開閉弁の開閉が一定時間で交互になるように制御して前記燃料ガス供給源から前記第１バーナ及び前記第２バーナに交互に燃料ガスを供給して前記第１バーナと前記第２バーナとを交互に燃焼させるとともに、前記第１バーナと前記第２バーナとのそれぞれを燃焼させる際に、前記第１燃料ガス流量調整弁及び前記第２燃料ガス流量調整弁のそれぞれの開度を制御して、前記第１バーナへの燃料ガスの流量と、前記第２バーナへの燃料ガスの流量とを調整することを特徴とする加熱方法。
【請求項７】
前記第１燃料ガス流量調整弁及び前記第２燃料ガス流量調整弁のそれぞれの開度の制御に際し、前記被加熱対象物の加熱目標温度に基づいて設定された前記第１燃料ガス流量調整弁及び前記第２燃料ガス流量調整弁のそれぞれの開度を補正した補正値の開度を設定し、それぞれの開度の補正値で前記第１バーナへの燃料ガスの流量と前記第２バーナへの燃料ガスの流量とを流量調整し、前記第１バーナと前記第２バーナとを交互に燃焼させることを特徴とする請求項６に記載の加熱方法。
【請求項８】
前記被加熱対象物の加熱目標温度に基づいて設定された前記第１燃料ガス流量調整弁の開度の補正値の設定は、前記加熱炉の出側に設置された温度計からの前記被加熱対象物の炉幅方向の一端部の温度に基づいて行い、前記被加熱対象物の加熱目標温度に基づいて設定された前記第２燃料ガス流量調整弁の開度の補正値の設定は、前記加熱炉の出側に設置された温度計からの前記被加熱対象物の炉幅方向の他端部の温度に基づいて行うことを特徴とする請求項７に記載の加熱方法。
【請求項９】
前記被加熱対象物の加熱目標温度に基づいて設定された前記第１燃料ガス流量調整弁の開度の補正値の設定は、前記加熱炉の出側における前記被加熱対象物の炉幅方向の一端部の過去の実績温度に基づいて行い、前記被加熱対象物の加熱目標温度に基づいて設定された前記第２燃料ガス流量調整弁の開度の補正値の設定は、前記加熱炉の出側における前記被加熱対象物の炉幅方向の他端部の過去の実績温度に基づいて行うことを特徴とする請求項７に記載の加熱方法。
【発明の詳細な説明】
【技術分野】
【０００１】
本発明は、加熱炉内の炉圧を変動させることなく、加熱炉内における炉幅方向に沿う傾斜加熱を可能とした加熱装置、加熱炉及び加熱方法に関する。
【背景技術】
【０００２】
金属板の熱間圧延工程においては、熱間圧延前に加熱炉で被加熱対象物を炉幅方向（被加熱対象物の長手方向）において均一に加熱することが重要である。
加熱炉で被加熱対象物を炉幅方向において均一に加熱するために、加熱炉の一方の側壁と対向する他方の側壁とに対をなす蓄熱式バーナ装置対を炉長方向に沿って複数対設け、対となる蓄熱式バーナ装置の一方と他方とが燃焼と蓄熱とを短時間（例えば、１分）毎に繰り返すよう制御することが一般的に行われる。
従来のこの種の蓄熱式燃焼バーナの制御方法として、例えば、特許文献１に示すものが知られている。
【０００３】
特許文献１に示す蓄熱式バーナの制御方法は、複数のバーナを備え、各バーナが燃焼と蓄熱を繰り返す蓄熱式燃焼バーナの制御方法において、他のバーナとの関係において各バーナにそれぞれ独立に運転属性（連続及び交番の選択、間引き運転の有無、運転順序、切替えタイミング及び燃料の投入比率を含む）を設定し、各バーナを燃焼中であっても運転属性を変更可能とするものである。
この特許文献１に示す蓄熱式バーナの制御方法によれば、バーナの一つに不具合が生じても、不具合となったバーナと対となっているバーナを止めることがなく、即ち、運転から除外するバーナの数を最低限にして燃焼状態を継続させることができる。
【先行技術文献】
【特許文献】
【０００４】
【特許文献１】特許第４３４７２４４号公報
【発明の概要】
【発明が解決しようとする課題】
【０００５】
ところで、加熱炉内において炉幅方向に沿って温度が均一である場合において、加熱炉に装入される被加熱対象が加熱炉の炉幅方向において片側によっていたりすると、被加熱対象物に対する燃焼負荷が炉幅方向で異なるため、加熱炉から出た被加熱対象物は、その炉幅方向（長手方向）で温度に差が生じてしまう。
この場合、加熱炉内において炉幅方向に沿って傾斜加熱を行うことにより、加熱炉から出た被加熱対象物の炉幅方向での温度偏差を解消することができる。
しかしながら、特許文献１に示す蓄熱式バーナの制御方法においては、加熱炉内における炉幅方向に沿う傾斜加熱は可能と考えられるが、その手法についての具体的な開示はない。
【０００６】
一方、加熱炉内における炉幅方向に沿う傾斜加熱を行うために、対となる蓄熱式バーナ装置の一方と他方との燃焼時間を変化させることが考えられる。この場合、例えば、対となる蓄熱式バーナ装置の一方の燃焼時間を長くすると、蓄熱式バーナ装置の他方の蓄熱時間も長くなるが、蓄熱式バーナ装置の他方の蓄熱温度が所定以上に高くなり、排ガスの排出が遮断されてしまうことがある。そうなると、蓄熱式バーナ装置の一方が燃焼するだけで排ガスの排出がなされないため、加熱炉内の炉圧が高くなってしまう問題がある。
従って、本発明はこの従来の問題点を解決するためになされたものであり、その目的は、加熱炉内の炉圧を変動させることなく、加熱炉内における炉幅方向に沿う傾斜加熱を可能とした加熱装置、加熱炉及び加熱方法を提供することにある。
【課題を解決するための手段】
【０００７】
上記目的を達成するために、本発明の一態様に係る加熱装置は、被加熱対象物を加熱する加熱炉の炉幅方向の一方の側壁に設けられた第１蓄熱式バーナ装置と、前記加熱炉の一方の側壁に対して炉幅方向で対向する他方の側壁に設けられた、前記第１蓄熱式バーナ装置と対となる第２蓄熱式バーナ装置とを備え、前記第１蓄熱式バーナ装置が、燃料ガスを燃焼させる第１バーナと、該第１バーナに設けられた第１蓄熱器とからなり、前記第２蓄熱式バーナ装置が、燃料ガスを燃焼させる第２バーナと、該第２バーナに設けられた第２蓄熱器とからなる加熱装置であって、前記第１バーナは、第１燃料ガス開閉弁及び第１燃料ガス流量調整弁を介して燃料ガス供給源に接続されるとともに、前記第２バーナは、第２燃料ガス開閉弁及び第２燃料ガス流量調整弁を介して燃料ガス供給源に接続され、前記第１燃料ガス開閉弁及び前記第２燃料ガス開閉弁の開閉が一定時間で交互になるように制御して前記第１バーナと前記第２バーナとを交互に燃焼させるとともに、前記第１バーナと前記第２バーナとのそれぞれを燃焼させる際に、前記第１燃料ガス流量調整弁及び前記第２燃料ガス流量調整弁のそれぞれの開度を制御して、前記第１バーナへの燃料ガスの流量と、前記第２バーナへの燃料ガスの流量とを調整する制御装置を備えていることを要旨とする。
【０００８】
また、本発明の別の態様に係る加熱炉は、前述の加熱装置を備えたことを要旨とする。
更に、本発明の別の態様に係る加熱方法は、被加熱対象物を加熱する加熱炉の炉幅方向の一方の側壁に設けられた第１蓄熱式バーナ装置と、前記加熱炉の一方の側壁に対して炉幅方向で対向する他方の側壁に設けられた、前記第１蓄熱式バーナ装置と対となる第２蓄熱式バーナ装置とを備え、前記第１蓄熱式バーナ装置が、燃料ガスを燃焼させる第１バーナと、該第１バーナに設けられた第１蓄熱器とからなり、前記第２蓄熱式バーナ装置が、燃料ガスを燃焼させる第２バーナと、該第２バーナに設けられた第２蓄熱器とからり、前記第１バーナは、第１燃料ガス開閉弁及び第１燃料ガス流量調整弁を介して燃料ガス供給源に接続されるとともに、前記第２バーナは、第２燃料ガス開閉弁及び第２燃料ガス流量調整弁を介して燃料ガス供給源に接続されている加熱装置による加熱方法であって、前記第１燃料ガス開閉弁及び前記第２燃料ガス開閉弁の開閉が一定時間で交互になるように制御して前記第１バーナと前記第２バーナとを交互に燃焼させるとともに、前記第１バーナと前記第２バーナとのそれぞれを燃焼させる際に、前記第１燃料ガス流量調整弁及び前記第２燃料ガス流量調整弁のそれぞれの開度を制御して、前記第１バーナへの燃料ガスの流量と、前記第２バーナへの燃料ガスの流量とを調整することを要旨とする。
【発明の効果】
【０００９】
本発明に係る加熱装置、加熱炉及び加熱方法によれば、第１バーナと第２バーナとのそれぞれを燃焼させる際に、第１燃料ガス流量調整弁及び第２流量ガス流量調整弁のそれぞれの開度を制御して、第１バーナへの燃料ガスの流量と、第２バーナへの燃料ガスの流量とを調整するので、加熱炉内の炉圧を変動させることなく、加熱炉内における炉幅方向に沿う傾斜加熱を可能とした加熱装置、加熱炉及び加熱方法を提供することができる。
【図面の簡単な説明】
【００１０】
【図１】本発明の一実施形態に係る加熱装置を備えた加熱炉が適用される熱間圧延ラインの概略構成図である。
【図２】図１に示す加熱炉の構成を示す模式図である。
【図３】加熱装置の構成を示す模式図である。
【図４】制御装置の処理フローを示すフローチャートである。
【図５】被加熱対象物としてのスラブを説明するための図である。
【図６】当初設定された第１燃料ガス流量調整弁及び第２流量ガス流量調整弁のそれぞれの開度を補正した場合と、当該開度を補正しない場合との、燃焼用空気の流量及び燃焼ガスの流量のそれぞれの変化の態様を比較して示すグラフである。
【図７】加熱炉から抽出されたスラブの炉幅方向の中心の温度と当該スラブの炉幅方向の一端部の温度との温度差を、当初設定された第１燃料ガス流量調整弁及び第２流量ガス流量調整弁のそれぞれの開度を補正した場合と、当該開度を補正しない場合とで比較して示すグラフである。
【発明を実施するための形態】
【００１１】
以下、本発明の実施の形態を図面を参照して説明する。実施形態は、被加熱対象物としてのスラブを加熱する加熱炉に備えられた加熱装置の例である。
なお、図面は模式的なものである。そのため、厚みと平面寸法との関係、比率等は現実のものとは異なることに留意すべきであり、図面相互間においても互いの寸法の関係や比率が異なる部分が含まれている。また、以下に示す実施形態は、本発明の技術的思想を具体化するための装置や方法を例示するものであって、本発明の技術的思想は、構成部品の材質、形状、構造、配置等を下記の実施形態に特定するものではない。
【００１２】
図１には、本発明の一実施形態に係る加熱装置を備えた加熱炉が適用される熱間圧延ラインが示されており、被加熱対象物としてのスラブＷは、加熱炉２で数百〜千数百℃に加熱された後、加熱炉２から抽出され、粗圧延機３によって粗圧延された後、仕上圧延機４によって仕上圧延され、薄い鋼板となる。そして、鋼板は、冷却ゾーン５にて冷却された後、巻取り装置６によって巻き取られる。
【００１３】
ここで、加熱炉２の出側には、加熱炉２から抽出されたスラブＷの炉幅方向（加熱炉２における炉幅方向（図２において上下方向））の温度を測定する温度計７が設置されている。温度計７は、スラブＷの炉幅方向の一端部（図５におけるＢで示す部分）の温度Ｔｂ及び他端部（図５におけるＣで示す部分）の温度Ｔｃを含むスラブＷの炉幅方向全体の温度を測定するようになっている。
次に、加熱炉２の構成について図２を参照して説明する。
加熱炉２は、図２に示すように、所定の温度に加熱したスラブＷを連続して後工程に供給するため、スラブＷの装入側から順に第１加熱帯２１、第２加熱帯２２及び均熱帯２３を備えている。なお、図２において、符号２５Ａは装入扉、２５Ｂは抽出扉である。
【００１４】
この加熱炉２において、スラブＷは、装入口から装入され、炉内におけるウォーキングビーム２４の矩形往復運動の繰り返しによって、第１加熱帯２１を構成する第１加熱帯上部２１ａ及び第１加熱帯下部２１ｂ、第２加熱帯２２を構成する第２加熱帯上部２２ａ及び第２加熱帯下部２２ｂ、及び均熱帯２３を構成する均熱帯上部２３ａ及び均熱帯下部２３ｂを順次搬送されながら各帯に一旦停止される。そして、各帯、即ち、第１加熱帯上部２１ａ、第１加熱帯下部２１ｂ、第２加熱帯上部２２ａ、第２加熱帯下部２２ｂ、均熱帯上部２３ａ及び均熱帯下部２３ｂのそれぞれに設置された加熱装置３０によりスラブＷは所定温度（後に述べる加熱目標温度Ｔ０）に加熱される。そして、所定温度に加熱されたスラブＷは、抽出口から抽出され、後段の圧延工程へ送られる。
【００１５】
ここで、各加熱装置３０は、図３に示すように、加熱炉２の炉幅方向の一方の側壁２ａに設けられた複数（本実施形態にあっては５つ）の第１蓄熱式バーナ装置３１〜３５と、加熱炉２の一方の側壁２ａに対して炉幅方向で対向する他方の側壁２ｂに設けられた、各第１蓄熱式バーナ装置３１〜３５と対となる複数（本実施形態にあっては５つ）の第２蓄熱式バーナ装置３６〜４０とを備えている。第１蓄熱式バーナ装置３１〜３５及び第２蓄熱式バーナ装置３６〜４０のそれぞれは、加熱炉２の炉長方向に沿って所定ピッチで設置される。
【００１６】
そして、各第１蓄熱式バーナ装置３１〜３５は、燃料ガスを燃焼させる第１バーナ３１ａ〜３５ａと、第１バーナ３１ａ〜３５ａに設けられた第１蓄熱器３１ｂ〜３５ｂとからなっている。
各第１バーナ３１ａ〜３５ａは、各第１燃料ガス開閉弁３１ｃ〜３５ｃ及び第１燃料ガス流量調整弁５１を介して燃料ガス供給源５３に接続されている。燃料ガス供給源５３には、本実施形態では、１つの第１燃料ガス流量調整弁５１が接続され、１つの第１燃料ガス流量調整弁５１からは５つの第１燃料ガス開閉弁３１ｃ〜３５ｃに分岐され、分岐された第１燃料ガス開閉弁３１ｃ〜３５ｃの各々に５つの第１バーナ３１ａ〜３５ａの各々が接続されている。
【００１７】
また、各第１バーナ３１ａ〜３５ａは、各第１蓄熱器３１ｂ〜３５ｂ、各第１燃焼用空気開閉弁３１ｄ〜３５ｄ、及び第１燃焼用空気流量調整弁６１を介して燃焼用空気供給源６３に接続されている。燃焼用空気供給源６３には、本実施形態では、１つの第１燃焼用空気流量調整弁６１が接続され、１つの第１燃焼用空気流量調整弁６１からは５つの第１燃焼用空気開閉弁３１ｄ〜３５ｄに分岐され、分岐された第１燃焼用空気開閉弁３１ｄ〜３５ｄの各々に５つの第１蓄熱器３１ｂ〜３５ｂの各々が接続されている。
【００１８】
更に、各第１バーナ３１ａ〜３５ａは、各第１蓄熱器３１ｂ〜３５ｂ、各第１排ガス開閉弁３１ｅ〜３５ｅ、及び第１排ガス流量調整弁７１を介して排ガス放出装置７３に接続されている。排ガス放出装置７３には、本実施形態では、１つの第１排ガス流量調整弁７１が接続され、１つの第１排ガス流量調整弁７１からは５つの第１排ガス開閉弁３１ｅ〜３５ｅに分岐され、分岐された第１排ガス開閉弁３１ｅ〜３５ｅの各々に５つの第１蓄熱器３１ｂ〜３５ｂの各々が接続されている。
【００１９】
一方、各第２蓄熱式バーナ装置３６〜４０は、燃料ガスを燃焼させる第２バーナ３６ａ〜４０ａと、第２バーナ３６ａ〜４０ａに設けられた第２蓄熱器３６ｂ〜４０ｂとからなっている。
各第２バーナ３６ａ〜４０ａは、各第２燃料ガス開閉弁３６ｃ〜４０ｃ及び第２燃料ガス流量調整弁５２を介して燃料ガス供給源５３に接続されている。燃料ガス供給源５３には、本実施形態では、１つの第２燃料ガス流量調整弁５２が接続され、１つの第２燃料ガス流量調整弁５２からは５つの第２燃料ガス開閉弁３６ｃ〜４０ｃに分岐され、分岐された第２燃料ガス開閉弁３６ｃ〜４０ｃの各々に５つの第２バーナ３６ａ〜４０ａの各々が接続されている。なお、本実施形態にあっては、第１燃料ガス流量調整弁５１は、第２燃料ガス流量調整弁５２も兼用し、燃料ガス流量調整弁は１つで構成されている。
【００２０】
また、各第２バーナ３６ａ〜４０ａは、各第２蓄熱器３６ｂ〜４０ｂ、各第２燃焼用空気開閉弁３６ｄ〜４０ｄ、及び第２燃焼用空気流量調整弁６２を介して燃焼用空気供給源６３に接続されている。燃焼用空気供給源６３には、本実施形態では、１つの第２燃焼用空気流量調整弁６２が接続され、１つの第２燃焼用空気流量調整弁６２からは５つの第２燃焼用空気開閉弁３６ｄ〜４０ｄに分岐され、分岐された第２燃焼用空気開閉弁３６ｄ〜４０ｄの各々に５つの第２蓄熱器３６ｂ〜４０ｂの各々が接続されている。なお、本実施形態にあっては、第１燃焼用空気流量調整弁６１は、第２燃焼用空気流量調整弁６２も兼用し、燃焼用空気流量調整弁は１つで構成されている。
【００２１】
更に、各第２バーナ３６ａ〜４０ａは、各第２蓄熱器３６ｂ〜４０ｂ、各第２排ガス開閉弁３６ｅ〜４０ｅ、及び第２排ガス流量調整弁７２を介して排ガス放出装置７３に接続されている。排ガス放出装置７３には、本実施形態では、１つの第２排ガス流量調整弁７２が接続され、１つの第２排ガス流量調整弁７２からは５つの第２排ガス開閉弁３６ｅ〜４０ｅに分岐され、分岐された第２排ガス開閉弁３６ｅ〜４０ｅの各々に５つの第２蓄熱器３６ｂ〜４０ｂの各々が接続されている。なお、本実施形態にあっては、第１排ガス流量調整弁７１は、第２排ガス流量調整弁７２も兼用し、排ガス流量調整弁は１つで構成されている。
【００２２】
また、各加熱装置３０は、各加熱装置３０によるスラブＷに対する加熱を制御する制御装置８０を備えている。
この制御装置８０は、図示はしないが、各第１蓄熱式バーナ装置３１〜３５の各第１燃料ガス開閉弁３１ｃ〜３５ｃ、各第１燃焼用空気開閉弁３１ｄ〜３５ｄ及び各第１排ガス開閉弁３１ｅ〜３５ｅに接続されるとともに、各第２蓄熱式バーナ装置３６〜４０の各第２燃料ガス開閉弁３６ｃ〜４０ｃ、各第２燃焼用空気開閉弁３６ｄ〜４０ｄ及び各第２排ガス開閉弁３６ｅ〜４０ｅに接続される。
【００２３】
また、制御装置８０は、図３に示すように、第１燃料ガス流量調整弁５１、第２燃料ガス流量調整弁５２、第１燃焼用空気流量調整弁６１、第２燃焼用空気流量調整弁６２、第１排ガス流量調整弁７１及び第２排ガス流量調整弁７２に接続される。
更に、制御装置８０は、図３に示すように、スラブＷの加熱目標温度Ｔ０を含む加熱に必要な情報（例えば、スラブＷの鋼種など）を提供するプロセスコンピュータ８１に接続されている。
そして、制御装置８０は、第１燃料ガス開閉弁３１ｃ〜３５ｃ及び第２燃料ガス開閉弁３６ｃ〜４０ｃの開閉が一定時間で交互になるように制御して燃料ガス供給源５３から第１バーナ３１ａ〜３５ａ及び第２バーナ３６ａ〜４０ａに交互に燃料ガスを供給して第１バーナ３１ａ〜３５ａと第２バーナ３６ａ〜４０ａとを交互に燃焼させる。
【００２４】
ここで、制御装置８０は、第１燃料ガス開閉弁３１ｃ〜３５ｃを開制御して第１バーナ３１ａ〜３５ａを燃焼させるときには、第１燃焼用空気開閉弁３１ｄ〜３５ｄも同時に開制御して第１蓄熱器３１ｂ〜３５ｂを介して第１バーナ３１ａ〜３５ａに燃焼用空気を供給する。また、制御装置８０は、第１燃料ガス開閉弁３１ｃ〜３５ｃを開制御して第１バーナ３１ａ〜３５ａを燃焼させるときには、第２排ガス開閉弁３６ｅ〜４０ｅを開制御して、燃焼により発生した排ガスを第２蓄熱式バーナ装置３６〜４０から吸引し、第２蓄熱器３６ｂ〜４９ｂで蓄熱し、排ガス放出装置７３に放出する。なお、制御装置８０は、第１燃料ガス開閉弁３１ｃ〜３５ｃを開制御して第１バーナ３１ａ〜３５ａを燃焼させるときには、第２燃料ガス開閉弁３６ｃ〜４０ｃ、第２燃焼用空気開閉弁３６ｄ〜４０ｄ及び第１排ガス開閉弁３１ｅ〜３５ｅを閉制御する。
【００２５】
そして、制御装置８０は、第２燃料ガス開閉弁３６ｃ〜４０ｃを開制御して第２バーナ３６ａ〜４０ａを燃焼させるときには、第２燃焼用空気開閉弁３６ｄ〜４０ｄも同時に開制御して第２蓄熱器３６ｂ〜４０ｂを介して第２バーナ３６ａ〜４０ａに燃焼用空気を供給する。また、制御装置８０は、第２燃料ガス開閉弁３６ｃ〜４０ｃを開制御して第２バーナ３６ａ〜４０ａを燃焼させるときには、第１排ガス開閉弁３１ｅ〜３５ｅを開制御して、燃焼により発生した排ガスを第１蓄熱式バーナ装置３１〜３５から吸引し、第１蓄熱器３１ｂ〜３５ｂで蓄熱し、排ガス放出装置７３に放出する。なお、制御装置８０は、第２燃料ガス開閉弁３６ｃ〜４０ｃを開制御して第２バーナ３６ａ〜４０ａを燃焼させるときには、第１燃料ガス開閉弁３１ｃ〜３５ｃ、第１燃焼用空気開閉弁３１ｄ〜３５ｄ及び第２排ガス開閉弁３６ｅ〜４０ｅを閉制御する。
【００２６】
そして、制御装置８０は、第１バーナ３１ａ〜３５ａと第２バーナ３６ａ〜４０ａとのそれぞれを燃焼させる際に、第１燃料ガス流量調整弁５１及び第２燃料ガス流量調整弁５２のそれぞれの開度を制御して、第１バーナ３１ａ〜３５ａへの燃料ガスの流量と、第２バーナ３６ａ〜４０ａへの燃料ガスの流量とを調整するようになっている。
また、制御装置８０は、第１バーナ３１ａ〜３５ａと第２バーナ３６ａ〜４０ａとのそれぞれを燃焼させる際に、第１燃焼用空気流量調整弁６１及び第２燃焼用空気流量調整弁６２のそれぞれの開度を制御して、第１バーナ３１ａ〜３５ａへの燃焼用空気の流量と、第２バーナ３６ａ〜４０ａへの燃焼用空気の流量とを調整するようになっている。
【００２７】
更に、制御装置８０は、第１バーナ３１ａ〜３５ａと第２バーナ３６ａ〜４０ａとのそれぞれを燃焼させる際に、第２排ガス流量調整弁７２及び第１排ガス流量調整弁７１のそれぞれの開度を制御して、排ガス放出装置７３に放出される排ガスの流量を調整するようになっている。
次に、第１燃料ガス流量調整弁５１及び第２燃料ガス流量調整弁５２のそれぞれの開度制御を含む制御装置８０の処理フローについて図４を参照して説明する。
【００２８】
制御装置８０は、各加熱装置３０によるスラブＷに対する加熱の制御に際し、先ず、ステップＳ１にてプロセスコンピュータ８１からスラブＷの加熱目標温度Ｔ０を含む加熱に必要な情報を取得する。
次いで、制御装置８０は、ステップＳ２にて、スラブＷの加熱目標温度Ｔ０に基づいて第１燃料ガス流量調整弁５１及び第２燃料ガス流量調整弁５２のそれぞれの開度ＭＶを設定する。
【００２９】
この開度ＭＶの設定に際し、制御装置８０は、ステップＳ１にて取得したスラブＷの加熱目標温度Ｔ０に基づいて各帯における加熱炉２内の温度を算出し、その温度を達視するための加熱量を算出し、その算出した加熱量から第１バーナ３１ａ〜３５ａへの燃料ガスの流量と、第２バーナ３６ａ〜４０ａへの燃料ガスの流量とを算出し、第１燃料ガス流量調整弁５１及び第２燃料ガス流量調整弁５２のそれぞれの開度ＭＶを設定する。この開度ＭＶについては、加熱炉２内の温度を均一にするため、第１燃料ガス流量調整弁５１の開度ＭＶと第２燃料ガス流量調整弁５２の開度ＭＶは同一の値である。
【００３０】
そして、制御装置８０は、ステップＳ２にて、第１燃料ガス流量調整弁５１及び第２燃料ガス流量調整弁５２のそれぞれの開度ＭＶの設定と同時に、第１燃焼用空気流量調整弁６１及び第２燃焼用空気流量調整弁６２のそれぞれの開度を、当該開度ＭＶと対応する大きさの開度に設定する。
【００３１】
また、制御装置８０は、ステップＳ２にて、第１排ガス流量調整弁７１及び第２排ガス流量調整弁７２のそれぞれの開度を、第１燃料ガス流量調整弁５１及び第２燃料ガス流量調整弁５２の開度ＭＶと対応する大きさの開度に設定する。
次いで、制御装置８０は、ステップＳ３にて、第１燃料ガス流量調整弁５１及び第２燃料ガス流量調整弁５２のそれぞれの開度ＭＶで、第１バーナ３１ａ〜３５ａと第２バーナ３６ａ〜４０ａとのそれぞれを交互に燃焼制御する。
【００３２】
この際に、第１バーナ３１ａ〜３５ａを燃焼させる時は、第１燃料ガス開閉弁３１ｃ〜３５ｃを開き、燃料ガス供給源５３から燃料ガスが開度ＭＶの第１燃料ガス流量調整弁５１で流量調整されて第１燃料ガス開閉弁３１ｃ〜３５ｃを経て第１バーナ３１ａ〜３５ａに供給される。また、第１バーナ３１ａ〜３５ａを燃焼させる時は、第１燃焼用空気開閉弁３１ｄ〜３５ｄも同時に開き、燃焼用空気供給源６３から燃焼用空気が開度ＭＶに対応した開度の第１燃焼用空気流量調整弁６１で流量調整されて第１燃焼用空気開閉弁３１ｄ〜３５ｄを経て第１バーナ３１ａ〜３５ａに供給される。また、第１バーナ３１ａ〜３５ａを燃焼させる時は、第２蓄熱式バーナ装置３６〜４０側の第２排ガス開閉弁３６ｅ〜４０ｅを開き、燃焼により発生した排ガスを第２蓄熱式バーナ装置３６〜４０から吸引し、第２排ガス流量調整弁７２（第１排ガス流量調整弁７１と同じ）を介して排ガス放出装置７３に放出する。この際に、排ガスの流量は、第１燃料ガス流量調整弁５１の開度ＭＶと対応する大きさの開度に設定された第２排ガス流量調整弁７２の開度によって決まる。なお、制御装置８０は、第１燃料ガス開閉弁３１ｃ〜３５ｃを開制御して第１バーナ３１ａ〜３５ａを燃焼させるときには、第２燃料ガス開閉弁３６ｃ〜４０ｃ、第２燃焼用空気開閉弁３６ｄ〜４０ｄ及び第１排ガス開閉弁３１ｅ〜３５ｅを閉制御する。
【００３３】
一方、第２バーナ３６ａ〜４０ａを燃焼させる時は、第２燃料ガス開閉弁３６ｃ〜４０ｃを開き、燃料ガス供給源５３から燃料ガスが開度ＭＶの第２燃料ガス流量調整弁５２（第１燃料ガス流量調整弁５１と同じ）で流量調整されて第２燃料ガス開閉弁３６ｃ〜４０ｃを経て第２バーナ３６ａ〜４０ａに供給される。また、第２バーナ３６ａ〜４０ａを燃焼させる時は、第２燃焼用空気開閉弁３６ｄ〜４０ｄも同時に開き、燃焼用空気供給源６３から燃焼用空気が開度ＭＶに対応した開度の第２燃焼用空気流量調整弁６２（第１燃焼用空気流量調整弁６１と同じ）で流量調整されて第２燃焼用空気開閉弁３６ｄ〜４０ｄを経て第２バーナ３６ａ〜４０ａに供給される。また、第２バーナ３６ａ〜４０ａを燃焼させる時は、第１蓄熱式バーナ装置３１〜３５側の第１排ガス開閉弁３１ｅ〜３５ｅを開き、燃焼により発生した排ガスを第１蓄熱式バーナ装置３１〜３５から吸引し、第１排ガス流量調整弁７１（第２排ガス流量調整弁７２と同じ）を介して排ガス放出装置７３に放出する。この際に、排ガスの流量は、第２燃料ガス流量調整弁５２の開度ＭＶと対応する大きさの開度に設定された第１排ガス流量調整弁７１の開度によって決まる。なお、制御装置８０は、第２燃料ガス開閉弁３６ｃ〜４０ｃを開制御して第２バーナ３６ａ〜４０ａを燃焼させるときには、第１燃料ガス開閉弁３１ｃ〜３５ｃ、第１燃焼用空気開閉弁３１ｄ〜３５ｄ及び第２排ガス開閉弁３６ｅ〜４０ｅを閉制御する。
【００３４】
なお、第１燃料ガス開閉弁３１ｃ〜３５ｃ、第１燃焼用空気開閉弁３１ｄ〜３５ｄ、及びの第２排ガス開閉弁３６ｅ〜４０ｅを開いている時間と、第２燃料ガス開閉弁３６ｃ〜４０ｃ、第２燃焼用空気開閉弁３６ｄ〜４０ｄ、及びの第１排ガス開閉弁３１ｅ〜３５ｅを開いている時間とは同一である。
【００３５】
次いで、制御装置８０は、第１バーナ３１ａ〜３５ａと第２バーナ３６ａ〜４０ａとのそれぞれを交互に燃焼制御した後、ステップＳ４にて、加熱炉２の出側に設置された温度計７からの加熱炉２から抽出されたスラブＷの炉幅方向の一端部（図５におけるＢで示す部分）の温度Ｔｂ及び他端部（図５におけるＣで示す部分）の温度Ｔｃを取得する。
そして、制御装置８０は、温度計７からの加熱炉２から抽出されたスラブＷの炉幅方向の炉幅方向の一端部の温度Ｔｂ及び他端部の温度Ｔｃを取得した後、ステップＳ５において、ステップＳ２で設定された第１燃料ガス流量調整弁５１及び第２燃料ガス流量調整弁５２のそれぞれの開度ＭＶを補正し、開度ＭＶの補正値ＭＶ’を設定する。
【００３６】
ここで、第１蓄熱式バーナ装置３１〜３５の第１バーナ３１ａ〜３５ａへの燃焼ガスの流量を規定する第１燃料ガス流量調整弁５１の開度の補正値ＭＶ’の設定に際し、制御装置８０は、温度計７からの加熱炉２の出側におけるスラブＷの炉幅方向の一端部の温度Ｔｂに基づいて前記開度ＭＶを補正し、次の（１）式によって、補正値ＭＶ’を設定する。
ＭＶ’＝α×ＭＶ＋Ｂ  ……（１）
【００３７】
ここで、α及びβは定数で、各帯ごとに前述の温度Ｔｂに基づいて適宜決定される。
例えば、温度ＴｂがスラブＷの加熱目標温度Ｔ０よりも高い場合には、加熱炉２内における炉幅方向の一端部側の加熱温度を低くする必要があるが、温度Ｔｂと加熱目標温度Ｔ０の温度偏差分に相当する加熱量を算出し、その加熱量分だけ加熱量が小さくなるような開度の補正値ＭＶ’となるα、βを選定し、第１燃料ガス流量調整弁５１の開度の補正値ＭＶ’を上記（１）式により設定する。
【００３８】
また、第２蓄熱式バーナ装置３６〜４０の第２バーナ３６ａ〜４０ａへの燃焼ガスの流量を規定する第２燃料ガス流量調整弁５２（第１燃料ガス流量調整弁５１と同じ）の開度の補正値ＭＶ’の設定に際し、制御装置８０は、温度計７からの加熱炉２の出側におけるスラブＷの炉幅方向の他端部の温度Ｔｃに基づいて前記開度ＭＶを補正し、次の（２）式によって、補正値ＭＶ’を設定する。
ＭＶ’＝γ×ＭＶ＋Δ  ……（２）
【００３９】
ここで、γ及びΔは定数で、各帯ごとに前述の温度Ｔｃに基づいて適宜決定される。
例えば、温度ＴｃがスラブＷの加熱目標温度Ｔ０よりも低い場合には、加熱炉２内における炉幅方向の他端部側の加熱温度を高くする必要があるが、温度Ｔｃと加熱目標温度Ｔ０の温度偏差分に相当する加熱量を算出し、その加熱量分だけ加熱量が大きくなるような開度の補正値ＭＶ’となるγ、Δを選定し、第２燃料ガス流量調整弁５２の開度の補正値ＭＶ’を上記（２）式により設定する。
次いで、制御装置８０は、ステップＳ６にて、第１燃料ガス流量調整弁５１及び第２燃料ガス流量調整弁５２のそれぞれの開度の補正値ＭＶ’で、第１バーナ３１ａ〜３５ａと第２バーナ３６ａ〜４０ａとのそれぞれを交互に燃焼制御し、次のスラブＷを加熱する。
【００４０】
この際に、第１バーナ３１ａ〜３５ａを燃焼させる時は、第１燃料ガス開閉弁３１ｃ〜３５ｃを開き、燃料ガス供給源５３から燃料ガスが（１）式で設定された開度の補正値ＭＶ’の第１燃料ガス流量調整弁５１で流量調整されて第１燃料ガス開閉弁３１ｃ〜３５ｃを経て第１バーナ３１ａ〜３５ａに供給される。また、第１バーナ３１ａ〜３５ａを燃焼させる時は、第１燃焼用空気開閉弁３１ｄ〜３５ｄも同時に開き、燃焼用空気供給源６３から燃焼用空気が開度の補正値ＭＶ’に対応した開度の第１燃焼用空気流量調整弁６１で流量調整されて第１燃焼用空気開閉弁３１ｄ〜３５ｄを経て第１バーナ３１ａ〜３５ａに供給される。また、第１バーナ３１ａ〜３５ａを燃焼させる時は、第２蓄熱式バーナ装置３６〜４０側の第２排ガス開閉弁３６ｅ〜４０ｅを開き、燃焼により発生した排ガスを第２蓄熱式バーナ装置３６〜４０から吸引し、第２蓄熱器３６ｂ〜４０ｂで蓄熱し、第２排ガス流量調整弁７２（第１排ガス流量調整弁７１と同じ）を介して排ガス放出装置７３に放出する。この際に、排ガスの流量は、第１燃料ガス流量調整弁５１の開度の補正値ＭＶ’と対応する大きさの開度に設定された第２排ガス流量調整弁７２の開度によって決まる。
【００４１】
一方、第２バーナ３６ａ〜４０ａを燃焼させる時は、第２燃料ガス開閉弁３６ｃ〜４０ｃを開き、燃料ガス供給源５３から燃料ガスが（２）式で設定された開度の補正値ＭＶ’の第２燃料ガス流量調整弁５２（第１燃料ガス流量調整弁５１と同じ）で流量調整されて第２燃料ガス開閉弁３６ｃ〜４０ｃを経て第２バーナ３６ａ〜４０ａに供給される。また、第２バーナ３６ａ〜４０ａを燃焼させる時は、第２燃焼用空気開閉弁３６ｄ〜４０ｄも同時に開き、燃焼用空気供給源６３から燃焼用空気が開度の補正値ＭＶ’に対応した開度の第２燃焼用空気流量調整弁６２（第１燃焼用空気流量調整弁６１と同じ）で流量調整されて第２燃焼用空気開閉弁３６ｄ〜４０ｄを経て第２バーナ３６ａ〜４０ａに供給される。また、第２バーナ３６ａ〜４０ａを燃焼させる時は、第１蓄熱式バーナ装置３１〜３５側の第１排ガス開閉弁３１ｅ〜３５ｅを開き、燃焼により発生した排ガスを第１蓄熱式バーナ装置３１〜３５から吸引し、第１蓄熱器３１ｂ〜３５ｂで蓄熱し、第１排ガス流量調整弁７１（第２排ガス流量調整弁７２と同じ）を介して排ガス放出装置７３に放出する。この際に、排ガスの流量は、第２燃料ガス流量調整弁５２の開度の補正値ＭＶ’と対応する大きさの開度に設定された第１排ガス流量調整弁７１の開度によって決まる。
【００４２】
なお、第１燃料ガス開閉弁３１ｃ〜３５ｃ、第１燃焼用空気開閉弁３１ｄ〜３５ｄ、及びの第２排ガス開閉弁３６ｅ〜４０ｅを開いている時間と、第２燃料ガス開閉弁３６ｃ〜４０ｃ、第２燃焼用空気開閉弁３６ｄ〜４０ｄ、及びの第１排ガス開閉弁３１ｅ〜３５ｅを開いている時間とは同一である。
以上のステップＳ１〜Ｓ６を経て第１燃料ガス流量調整弁５１及び第２燃料ガス流量調整弁５２のそれぞれの開度制御を含む制御装置８０の処理は終了する。
なお、後に続くスラブＷを加熱する際には、ステップＳ４からステップＳ６を繰り返せばよい。
【００４３】
以上のように、本実施形態に係る加熱装置３０、加熱炉２及び加熱方法によれば、第１バーナ３１ａ〜３５ａと第２バーナ３６ａ〜４０ａとのそれぞれを燃焼させる際に、第１燃料ガス流量調整弁５１及び第２燃料ガス流量調整弁５２のそれぞれの開度を制御して、第１バーナ３１ａ〜３５ａへの燃料ガスの流量と、第２バーナ３６ａ〜４０ａへの燃料ガスの流量とを調整する。このため、加熱炉２の炉幅方向の一方の側壁２ａに設けられた第１蓄熱式バーナ装置３１〜３５による加熱量と、加熱炉２の一方の側壁２ａに対して炉幅方向で対向する他方の側壁２ｂに設けられた第２蓄熱式バーナ装置３６〜４０による加熱量とを異ならせることが可能となり、加熱炉２内における炉幅方向に沿う傾斜加熱を可能とした加熱装置３０、加熱炉２及び加熱方法を提供することができる。この際に、対となる第１バーナ３１ａ〜３５ａと第２バーナ３６ａ〜４０ａの燃焼時間を変化させることはないので、加熱炉２内の炉圧が高くなってしまうおそれはない。
【００４４】
また、本実施形態に係る加熱装置３０、加熱炉２及び加熱方法によれば、スラブＷの加熱目標温度Ｔ０に基づいて設定された第１燃料ガス流量調整弁５１及び第２燃料ガス流量調整弁５２のそれぞれの開度ＭＶを補正した補正値ＭＶ’の開度で第１バーナ３１ａ〜３５ａへの燃料ガスの流量と第２バーナ３６ａ〜４０ａへの燃料ガスの流量とを流量調整し、第１バーナ３１ａ〜３５ａと第２バーナ３６ａ〜４０ａとを交互に燃焼させる。これにより、加熱炉２内における炉幅方向に沿う傾斜加熱を確実に行うことができる。
【００４５】
そして、本実施形態に係る加熱装置３０、加熱炉２及び加熱方法によれば、スラブＷの加熱目標温度Ｔ０に基づいて設定された第１燃料ガス流量調整弁５１の開度の補正値ＭＶ’の設定は、加熱炉２の出側に設置された温度計７からのスラブＷの炉幅方向の一端部Ｂの温度Ｔｂに基づいて行い、スラブＷの加熱目標温度Ｔ０に基づいて設定された第２燃料ガス流量調整弁５２の開度の補正値ＭＶ’の設定は、加熱炉２の出側に設置された温度計７からのスラブＷの炉幅方向の他端部Ｃの温度Ｔｃに基づいて行う。このため、加熱炉２の出側におけるスラブＷの炉幅方向の一端部の温度Ｔｂ及び他端部の温度Ｔｃに基づいて加熱炉２内における炉幅方向に沿う傾斜加熱を行うことができ、次のスラブＷの炉幅方向に沿う温度を均一にすることができる。
【００４６】
以上、本発明の実施形態について説明してきたが、本発明はこれに限定されずに種々の変更、改良を行うことができる。
例えば、本実施形態にあっては、各加熱装置３０において、第１蓄熱式バーナ装置３１〜３５を５つ設け、第２蓄熱式バーナ装置３６〜４０を５つ設けてあるが、第１蓄熱式バーナ装置と第２蓄熱式バーナとが対となっていればよく、数がそれぞれ５つに限らない。
【００４７】
また、各加熱装置３０は、加熱炉２の片側ですべての第１蓄熱式バーナ装置３１〜３５あるいは第２蓄熱式バーナ装置３６〜４０が燃焼し、加熱炉２の他方ですべての第２蓄熱式バーナ装置３６〜４０あるいは第１蓄熱式バーナ装置３１〜３５が排ガスを吸引して蓄熱する片側燃焼を行っているが、いわゆる千鳥燃焼をするようにしてもよい。
また、制御装置８０によるスラブＷの加熱目標温度Ｔ０に基づいて設定された第１燃料ガス流量調整弁５１の開度の補正値ＭＶ’の設定を、加熱炉２の出側におけるスラブＷの炉幅方向の一端部の過去の実績温度に基づいて行い、スラブＷの加熱目標温度Ｔ０に基づいて設定された第２燃料ガス流量調整弁５２の開度の補正値ＭＶ’の設定を、加熱炉２の出側におけるスラブＷの炉幅方向の他端部の過去の実績温度に基づいて行うようにしてもよい。
【００４８】
この場合、制御装置８０による制御フローのステップＳ２で、スラブＷの加熱目標温度Ｔ０に基づいて第１燃料ガス流量調整弁５１及び第２燃料ガス流量調整弁５２のそれぞれの開度ＭＶを設定した後、ステップＳ３（第１燃料ガス流量調整弁５１及び第２燃料ガス流量調整弁５２のそれぞれの開度ＭＶで、第１バーナ３１ａ〜３５ａと第２バーナ３６ａ〜４０ａとのそれぞれを交互に燃焼制御する）及びステップＳ４を行わずに、スラブＷの加熱目標温度Ｔ０に基づいて設定された第１燃料ガス流量調整弁５１の開度の補正値ＭＶ’の設定及びスラブＷの加熱目標温度Ｔ０に基づいて設定された第２燃料ガス流量調整弁５２の開度の補正値ＭＶ’の設定を行い、ステップＳ６（第１燃料ガス流量調整弁５１及び第２燃料ガス流量調整弁５２のそれぞれの開度の補正値ＭＶ’で、第１バーナ３１ａ〜３５ａと第２バーナ３６ａ〜４０ａとのそれぞれを交互に燃焼制御する）を行う。
【００４９】
そして、第１蓄熱式バーナ装置３１〜３５の第１バーナ３１ａ〜３５ａへの燃焼ガスの流量を規定する第１燃料ガス流量調整弁５１の開度の補正値ＭＶ’の設定に際し、制御装置８０は、加熱炉２の出側におけるスラブＷの炉幅方向の一端部の過去の実績温度に基づいて開度ＭＶを補正し、前述と同様に、次の（３）式によって、補正値ＭＶ’を設定する。
ＭＶ’＝α×ＭＶ＋Ｂ  ……（３）
【００５０】
ここで、α及びβは定数で、各帯ごとにスラブＷの炉幅方向の一端部の過去の実績温度に基づいて適宜決定される。
例えば、スラブＷの炉幅方向の一端部の過去の実績温度がスラブＷの加熱目標温度Ｔ０よりも高い場合には、加熱炉２内における炉幅方向の一端部側の加熱温度を低くする必要があるが、スラブＷの炉幅方向の一端部の過去の実績温度と加熱目標温度Ｔ０の温度偏差分に相当する加熱量を算出し、その加熱量分だけ加熱量が小さくなるような開度の補正値ＭＶ’となるα、βを選定し、第１燃料ガス流量調整弁５１の開度の補正値ＭＶ’を上記（３）式により設定する。
【００５１】
また、第２蓄熱式バーナ装置３６〜４０の第２バーナ３６ａ〜４０ａへの燃焼ガスの流量を規定する第２燃料ガス流量調整弁５２（第１燃料ガス流量調整弁５１と同じ）の開度の補正値ＭＶ’の設定に際し、制御装置８０は、加熱炉２の出側におけるスラブＷの炉幅方向の他端部の過去の実績温度に基づいて前記開度ＭＶを補正し、次の（４）式によって、補正値ＭＶ’を設定する。
ＭＶ’＝γ×ＭＶ＋Δ  ……（４）
【００５２】
ここで、γ及びΔは定数で、各帯ごとに加熱炉２の出側におけるスラブＷの炉幅方向の他端部の過去の実績温度に基づいて適宜決定される。
例えば、加熱炉２の出側におけるスラブＷの炉幅方向の他端部の過去の実績温度がスラブＷの加熱目標温度Ｔ０よりも低い場合には、加熱炉２内における炉幅方向の他端部側の加熱温度を高くする必要があるが、加熱炉２の出側におけるスラブＷの炉幅方向の他端部の過去の実績温度と加熱目標温度Ｔ０の温度偏差分に相当する加熱量を算出し、その加熱量分だけ加熱量が大きくなるような開度の補正値ＭＶ’となるγ、Δを選定し、第２燃料ガス流量調整弁５２の開度の補正値ＭＶ’を上記（４）式により設定する。
【００５３】
また、スラブＷの加熱目標温度Ｔ０に基づいて設定された第１燃料ガス流量調整弁５１及び第２燃料ガス流量調整弁５２のそれぞれの開度の補正は、加熱炉２の出側に設置された温度計７からのスラブＷの炉幅方向の一端部及び他端部のそれぞれの温度に基づいて行う場合や、加熱炉２の出側におけるスラブＷの炉幅方向の一端部及び他端部のそれぞれの過去の実績温度に基づいて行う場合に限られない。
【００５４】
また、本実施形態にあっては、第１燃料ガス流量調整弁５１が第２燃料ガス流量調整弁５２を兼用しているが、第１燃料ガス流量調整弁５１と第２燃料ガス流量調整弁５２とを別個にするような配管構成としてもよい。また、第１燃焼用空気流量調整弁６１が第２燃焼用空気流量調整弁６２を兼用しているが、前記と同様に、第１燃焼用空気流量調整弁６１と第２燃焼用空気流量調整弁６２とを別個にするような配管構成としてもよい。更に、第１排ガス流量調整弁７１が第２排ガス流量調整弁７２を兼用しているが、第１排ガス流量調整弁７１と第２排ガス流量調整弁７２とを別個にするような配管構成としてもよい。
【実施例】
【００５５】
本発明の効果を検証すべく、スラブＷの加熱目標温度Ｔ０に基づいて設定された第１燃料ガス流量調整弁５１及び第２燃料ガス流量調整弁５２のそれぞれの開度を補正した場合と、補正しなかった場合とで、燃焼用空気の流量及び燃焼ガスの流量のそれぞれの変化と、加熱炉から抽出されたスラブＷの炉幅方向の中心の温度と当該スラブＷの炉幅方向の一端部の温度との温度差について調査した。なお、スラブＷの加熱目標温度Ｔ０に基づいて設定された第１燃料ガス流量調整弁５１の開度の補正値ＭＶ’の設定は、加熱炉２の出側に設置された温度計７からのスラブＷの炉幅方向の一端部Ｂの温度Ｔｂに基づいて行い、スラブＷの加熱目標温度Ｔ０に基づいて設定された第２燃料ガス流量調整弁５２の開度の補正値ＭＶ’の設定は、加熱炉２の出側に設置された温度計７からのスラブＷの炉幅方向の他端部の温度Ｔｃに基づいて行った。
【００５６】
図６には、第２加熱帯下部２２ｂに設置された加熱装置３０における第１燃料ガス流量調整弁５１及び第２燃料ガス流量調整弁５２のそれぞれの開度を補正した場合と、補正しなかった場合との、燃焼用空気の流量及び燃焼ガスの流量のそれぞれの変化が示されている。
図６を参照すると、第１燃料ガス流量調整弁５１及び第２燃料ガス流量調整弁５２のそれぞれの開度を補正した場合、燃焼用空気の流量及び燃焼ガスの流量のそれぞれは、周期的に変化する。一方、第１燃料ガス流量調整弁５１及び第２燃料ガス流量調整弁５２のそれぞれの開度を補正しない場合、燃焼用空気の流量及び燃焼ガスの流量のそれぞれの変化量は小さい。
【００５７】
また、図７には、加熱炉２から抽出されたスラブＷの炉幅方向の中心Ａ（図５参照）の温度Ｔａと当該スラブＷの炉幅方向の一端部Ｂの温度Ｔｂとの温度差を、第１燃料ガス流量調整弁５１及び第２燃料ガス流量調整弁５２のそれぞれの開度を補正した場合と、当該開度を補正しない場合とで比較して示されている。
図６を参照すると、第１燃料ガス流量調整弁５１及び第２燃料ガス流量調整弁５２のそれぞれの開度を補正した場合、加熱炉２から抽出されたスラブＷの炉幅方向の中心Ａの温度Ｔａと当該スラブＷの炉幅方向の一端部Ｂの温度Ｔｂとの温度差が小さいデータのデータ数比率が高くなったことがわかる。
【符号の説明】
【００５８】
１  熱間圧延ライン
２  加熱炉
２ａ  一方の側壁
２ｂ  他方の側壁
３  粗圧延機
４  仕上圧延機
５  冷却ゾーン
６  巻取り装置
７  温度計
２１  第１加熱帯
２１ａ  第１加熱帯上部
２１ｂ  第１加熱帯下部
２２  第２加熱帯
２２ａ  第２加熱帯上部
２２ｂ  第２加熱帯下部
２３  均熱帯
２３ａ  均熱帯上部
２３ｂ  均熱帯下部
２４  ウォーキングビーム
２５Ａ  装入扉
２５Ｂ  抽出扉
３０  加熱装置
３１〜３５  第１蓄熱式バーナ装置
３１ａ〜３５ａ  第１バーナ
３１ｂ〜３５ｂ  第１蓄熱器
３１ｃ〜３５ｃ  第１燃料ガス開閉弁
３１ｄ〜３５ｄ  第１燃焼用空気開閉弁
３１ｅ〜３５ｅ  第１排ガス開閉弁
３６〜４０  第２蓄熱式バーナ装置
３６ａ〜４０ａ  第２バーナ
３６ｂ〜４０ｂ  第２蓄熱器
３６ｃ〜４０ｃ  第２燃料ガス開閉弁
３６ｄ〜４０ｄ  第２燃焼用空気開閉弁
３６ｅ〜４０ｅ  第２排ガス開閉弁
５１  第１燃料ガス流量調整弁
５２  第２燃料ガス流量調整弁
５３  燃料ガス供給源
６１  第１燃焼用空気流量調整弁
６２  第２燃焼用空気流量調整弁
６３  燃焼用空気供給源
７１  第１排ガス流量調整弁
７２  第２排ガス流量調整弁
７３  排ガス放出装置
８０  制御装置
８１  プロセスコンピュータ
Ｗ  スラブ（被加熱対象物）
【図１】
2019074238.tif 000003
【図２】
2019074238.tif 000004
【図３】
2019074238.tif 000005
【図４】
2019074238.tif 000006
【図５】
2019074238.tif 000007
【図６】
2019074238.tif 000008
【図７】
2019074238.tif 000009